(57)【要約】  【課題】  基体の熱設計の自由度が高いマイクロ流路体を提供すること。  【解決手段】  マイクロ流路体１は、基体２の内部に、流体が流通される流路２ａを有し、流路２ａに沿って面が対向するように基体２内部に金属層３が設けられている。金属層３の形成されている箇所において熱伝導率を異ならせることができ、熱伝導率の異なる箇所を適宜に設置することで、熱設計の自由度が高いマイクロ流路体１を提供することができる。【選択図】  図１
2008238091.tif 000002
【特許請求の範囲】
【請求項１】
絶縁物から成る基体内部に、流体が流通される流路と、前記流路に沿って面が対向するように設けられて成る金属層とを備えて成るマイクロ流路体。
【請求項２】
前記金属層の熱伝導率は前記基体の熱伝導率よりも高いことを特徴とする請求項１記載のマイクロ流路体。
【請求項３】
前記金属層の厚みは５乃至５００μｍであることを特徴とする請求項１または請求項２記載のマイクロ流路体。
【請求項４】
前記金属層は銅を含むことを特徴とする請求項１乃至請求項３のいずれかに記載のマイクロ流路体。
【請求項５】
前記金属層は白金を含むことを特徴とする請求項１乃至請求項３のいずれかに記載のマイクロ流路体。
【請求項６】
前記金属層に隣接して配置され、前記基体内部または前記基体表面に前記流体を加熱する加熱手段を備えることを特徴とする請求項１乃至請求項５のいずれかに記載のマイクロ流路体。
【請求項７】
前記金属層は前記流路と前記加熱手段との間に配置されていることを特徴とする請求項６記載のマイクロ流路体。
【請求項８】
前記金属層は前記加熱手段と接するように設けられていることを特徴とする請求項６または請求項７記載のマイクロ流路体。
【請求項９】
前記金属層に隣接して配置され、前記基体内部または前記基体表面に前記流体を冷却する冷却手段を備えることを特徴とする請求項１乃至請求項５のいずれかに記載のマイクロ流路体。
【請求項１０】
前記金属層は前記流路と前記冷却手段との間に配置されていることを特徴とする請求項９記載のマイクロ流路体。
【請求項１１】
前記金属層は前記冷却手段と接するように設けられていることを特徴とする請求項９または請求項１０記載のマイクロ流路体。
【請求項１２】
前記基体は、セラミックスから成ることを特徴とする請求項１乃至請求項１１のいずれかに記載のマイクロ流路体。
【請求項１３】
前記基体は、セラミックグリーンシート積層法によって形成されることを特徴とする請求項１乃至請求項１２のいずれかに記載のマイクロ流路体。
【発明の詳細な説明】
【技術分野】
【０００１】
本発明は、内部に微小な流路を持つマイクロ流路体に関し、特に微小な流路内で複数流体の混合を行なう微小混合デバイス（マイクロミキサ）や、流体の加熱、冷却を行なう微小熱交換デバイス、および化学、生化学、物理化学反応を行なう微小反応デバイス（マイクロリアクタ）等に用いられるマイクロ流路体に関する。
【背景技術】
【０００２】
従来、ガラス、石英ガラス、シリコン（Ｓｉ）基板等から成る基体の内部に、レーザー加工やエッチング加工等の手段により細い溝を形成して、流体を流すための流路を設けるとともに、流路の端に流入口および流出口を設けて成るマイクロ流路体が知られている（例えば、下記の特許文献１参照）。
【０００３】
また、この流路の近傍にヒーターを配置し、流路に流通される流体を加熱することによって、流体中における化学反応等の反応を促進するマイクロ流路体が知られている。このようなマイクロ流路体において、熱交換を促進するために、複数並列に設けられた貫通孔に高熱伝導性素材を充填してマイクロ流路体の外部と流路近傍との間に熱経路を設ける例も示されている（例えば、下記の特許文献２参照）。
【特許文献１】特開2000−298109号公報
【特許文献２】特表2002−527254号公報
【発明の開示】
【発明が解決しようとする課題】
【０００４】
上記従来のマイクロ流路体をマイクロケミカルデバイスとして用いる場合、流体の加熱、流体からの放熱等のマイクロ流路体の熱設計を行なう際は、そのマイクロ流路体の形状、流路の加熱部と発熱体との位置関係または流路の放熱部と冷却体との位置関係、流体の流速、およびマイクロ流路体が形成される基体の熱伝導率などを考慮して行なわれる。
【０００５】
しかしながら、基体の熱伝導率は基体の材料を選定する段階で決定されてしまうため、熱設計の自由度が小さいという問題点があった。
【０００６】
本発明は上記問題点に鑑み案出されたもので、その目的は、基体の熱設計の自由度が高いマイクロ流路体を提供することにある。
【課題を解決するための手段】
【０００７】
本発明のマイクロ流路体は、絶縁物から成る基体内部に、流体が流通される流路と、前記流路に沿って面が対向するように設けられて成る金属層と備えて成る。
【０００８】
好ましくは、本発明のマイクロ流路体において、前記金属層の熱伝導率は前記基体の熱伝導率よりも高いことを特徴とする。
【０００９】
好ましくは、本発明のマイクロ流路体において、前記金属層の厚みは５乃至５００μｍであることを特徴とする。
【００１０】
好ましくは、本発明のマイクロ流路体において、前記金属層は銅を含むことを特徴とする。
【００１１】
好ましくは、本発明のマイクロ流路体において、前記金属層は白金を含むことを特徴とする。
【００１２】
好ましくは、本発明のマイクロ流路体において、前記金属層に隣接して配置され、前記基体内部または前記基体表面に前記流体を加熱する加熱手段を備えることを特徴とする。
【００１３】
好ましくは、本発明のマイクロ流路体において、前記金属層は前記流路と前記加熱手段との間に配置されていることを特徴とする。
【００１４】
好ましくは、本発明のマイクロ流路体において、前記金属層は前記加熱手段と接するように設けられていることを特徴とする。
【００１５】
好ましくは、本発明のマイクロ流路体において、前記金属層に隣接して配置され、前記基体内部または前記基体表面に前記流体を冷却する冷却手段を備えることを特徴とする。
【００１６】
好ましくは、本発明のマイクロ流路体において、前記金属層は前記流路と前記冷却手段との間に配置されていることを特徴とする。
【００１７】
好ましくは、本発明のマイクロ流路体において、前記金属層は前記冷却手段と接するように設けられていることを特徴とする。
【００１８】
好ましくは、本発明のマイクロ流路体において、前記基体は、セラミックスから成ることを特徴とする。
【００１９】
好ましくは、本発明のマイクロ流路体において、前記基体は、セラミックグリーンシート積層法によって形成されることを特徴とする。
【発明の効果】
【００２０】
本発明のマイクロ流路体において、絶縁物から成る基体内部に、流体が流通される流路と、流路に沿って面が対向するように設けられて成る金属層とを備えて成ることから、流路に沿って、金属層の形成されている箇所において熱伝導率を異ならせることができ、また金属層を適宜に設置することにより、熱設計の自由度が高いマイクロ流路体を提供することができる。
【００２１】
好ましくは、本発明のマイクロ流路体において、金属層の熱伝導率は基体の熱伝導率よりも高い場合、基体内部または基体表面に熱放散、熱拡散速度の高い箇所を適宜に設置できる。
【００２２】
好ましくは、本発明のマイクロ流路体において、金属層の厚みは５〜５００μｍである場合、体積が小さく熱設計の自由度が高いマイクロ流路体を提供することができる。
【００２３】
好ましくは、本発明のマイクロ流路体において、金属層は銅を含む場合、金属層の熱放散、熱拡散速度を高いものとすることができる。
【００２４】
好ましくは、本発明のマイクロ流路体において、金属層は白金を含む場合、金属層の熱放散、熱拡散速度を高いものとするとともに、金属層を化学的に安定で耐薬品性に優れたものとすることができる。
【００２５】
好ましくは、本発明のマイクロ流路体において、金属層に隣接して配置され、基体内部または基体表面に流体を加熱する加熱手段を備える場合、金属層が加熱手段からの熱を伝えて流路に沿って均熱化するので、流体の加熱効率の高いマイクロ流路体を提供することができる。
【００２６】
好ましくは、本発明のマイクロ流路体において、金属層は流路と加熱手段との間に配置されている場合、加熱手段によって加熱された金属層を介して流体が均一に加熱されるようになるので、流体の加熱効率が高く、加熱温度ばらつきの小さいマイクロ流路体を提供することができる。
【００２７】
好ましくは、本発明のマイクロ流路体において、金属層は加熱手段と接するように設けられている場合、金属層が加熱手段によって直接加熱されるようになるので、流体の加熱効率の高いマイクロ流路体を提供することができる。
【００２８】
好ましくは、本発明のマイクロ流路体において、金属層に隣接して配置され、基体内部または基体表面に流体を冷却する冷却手段を備える場合、金属層が冷却手段に吸熱されて流路に沿って均等に冷却され易くなるので、流体の冷却効率の高いマイクロ流路体を提供することができる。
【００２９】
好ましくは、本発明のマイクロ流路体において、金属層は流路と冷却手段との間に配置されている場合、冷却手段によって冷却された金属層を介して流体が均一に冷却されるようになるので、流体の冷却効率が高く、冷却温度ばらつきの小さいマイクロ流路体を提供することができる。
【００３０】
好ましくは、本発明のマイクロ流路体において、金属層は冷却手段と接するように設けられている場合、金属層が冷却手段によって冷却され易くなるので、流体の冷却効率が高いマイクロ流路体を提供することができる。
【００３１】
好ましくは、本発明のマイクロ流路体において、基体は、セラミックスから成る場合、化学的に安定で耐薬品性に優れたマイクロ流路体を提供することができる。
【００３２】
好ましくは、本発明のマイクロ流路体において、基体は、セラミックグリーンシート積層法によって形成される場合、基体内部および基体表面に容易に金属層を設置でき、製造効率の良いマイクロ流路体を提供することができる。
【発明を実施するための最良の形態】
【００３３】
本発明のマイクロ流路体およびマイクロ流路体の製造方法について以下に詳細に説明する。図１（ａ）は本発明のマイクロ流路体の実施の形態の一例を示す斜視図、図１（ｂ）は図１（ａ）に示すマイクロ流路体の分解斜視図である。これらの図において、１はマイクロ流路体、２は基体、２ａは流路、３は金属層、４は加熱手段または冷却手段を示す。
【００３４】
本発明のマイクロ流路体１は、基体２に、流体が流通される流路２ａを有し、流路２ａの上方および下方の少なくとも一方の基体２内部に流路２ａの延設方向と並行させて金属層３が設けられている。
【００３５】
図１に示すマイクロ流路体１の実施の形態の一例においては、基体２表面に流路２ａの流入口２ｃまたは流出口２ｄが配置されており、基体２の内部に設けられた流路２ａは流入口２ｃまたは流出口２ｄに接続されており、流路２ａの直下の基体２内部に流路２ａの延設方向に沿って面が対向するように一体に連続した金属層３が流路２ａに並行して設けられ、また金属層３を挟んで流路２ａに対する箇所にヒーター等の流体を加熱する発熱体が加熱手段４として配置され、加熱手段４としてのヒーターの両端はマイクロ流路体１外部に導体で引き出され、リード線等によって外部電気回路と電気的に接続される。
【００３６】
金属層３は、図１に示すように平面状に流路２ａと平行に設けてもよいし、流路に沿って流路の周囲を取り囲むように筒状に設けてもよいし、筒の軸方向に縦に分割した形状で半分だけ取り囲むように設けてもよい。また、金属層３が流路２ａ内に露出するように設けられてもよい。
【００３７】
ここで基体２は、セラミックスや、ガラス、石英、Ｓｉ、その他の金属、あるいは樹脂等から成り、基体２の内部にエッチング法や切削法および金型を用いた成形法などにより被処理流体が流通される幅が微小な流路２ａが形成されている。セラミックスとしては、アルミナ（Ａｌ２Ｏ３）質焼結体，窒化アルミニウム（ＡｌＮ）質焼結体，ムライト（３Ａｌ２Ｏ３・２ＳｉＯ２）質焼結体，ガラスセラミックス等が用いられる。このように、基体２に流路２ａが形成されることによって内部に流体が流通される流路を有するマイクロ流路体１となる。基体２は被処理流体によって侵されない材質のものを適宜選択すればよい。
【００３８】
流路２ａは、５〜５００μｍの微小な幅および高さが５〜５００μｍの断面矩形状の微小な流路として設けられる。なお、流路２ａの断面は円形であってもよいし、三角形その他多角形であってもよい。
【００３９】
このようにして得られたマイクロ流路体１は、例えば、流路２ａで流体を加熱したり冷却したり、さらに流体同士を混合させて反応させる化学、生化学、物理化学反応を行なわせるマイクロ化学リアクター等に好適に用いることができる。
【００４０】
流路２ａの配置としては、例えば、図１（ａ）に示すように流入口２ｃが２箇所と流出口２ｄが１箇所設けられ、２箇所の流入口２ｃから流れてくる流体が合流して流出口２ｄへ流れるように流路２ａが形成されている形態であったり、流入口２ｃと流出口２ｄとが２箇所あるいはそれ以上の複数箇所に設けられ、複数箇所の流入口２ｃに接続された複数本の流路２ａを所定順序で合流させ、さらに流路２ａから流出口２ｃに向け複数本の流路２ａに分岐する形態であったりする。流路２ａは直線状に配置されていても良いし、曲線状に配置されていてもよい。流路２ａの配置は、図１（ａ）に示す形態に限定されることはなく、目的に合わせて種々の形態とし得る。
【００４１】
また、流路２ａは一定の幅である必要はない。例えば金属層３が配置されている部位で幅を広くし、流体の流速を下げて流体が加熱または冷却されやすいようにしてもよい。
【００４２】
流体を加熱する加熱手段４としては、例えば、図１（ｂ）に示すように流路２ａ直下にヒーター等の発熱体を配置し、発熱体に電流を流す等で熱エネルギーを供給することにより、流路２ａ中を流れる流体を適宜、所望の温度に加熱するように設けられる。加熱手段４を設けて流体を所定の温度に加熱することにより、流体に含まれる物質同士の最適な反応を促すことができる。このとき加熱手段４は、一箇所のみでなく複数の箇所に配置されていてもよく、また流路２ａ直下に限定されず、例えば基体２全面を加熱する位置に設けられていてもよい。
【００４３】
ここで加熱手段４としてヒーターを用いる場合、ヒーターは基体２の材質およびその目的に合わせて、作製可能なヒーターが選択されればよく、例えばセラミック製の基体においてはタングステン（Ｗ）やモリブデン（Ｍｏ）等の高融点金属メタライズ層を設ける方法や、シリコン（Ｓｉ）やガラス製の基体においては、これら基板上に各種金属薄膜を形成する方法などが用いられる。またヒーターの配置個所も基体２表面もしくは基体２内部に関わらず、目的にあわせた所望の位置に形成すればよい。ヒーターの少なくとも一端は基体２の表面に引き出され、外部電気回路と接続される。
【００４４】
このとき引き出された部位と外部電気回路との接続は、物理的なクリッピングや圧着などの直接接触方法が取られてもよいし、図１（ａ）に示すように、基体２表面の配線部に適宜めっきを施し、リード線等の半田付けや、ワイヤーボンディングなどによる間接的な接続でもかまわない。
【００４５】
また加熱手段４は必ずしも図１（ａ）に示すような基体２との同一成形体でなくてもよく、例えばヒーターブロックのような加熱機器に、マイクロ流路体を接触させるなどの方法でもかまわない。またその加熱方法も図１（ｂ）に示すような抵抗加熱だけではなく、誘導加熱、輻射、レーザー照射による加熱、および加熱媒体（温水、加熱ガスなど）の流動による加熱などの方法を選択することも可能であり、図１（ａ）に示す形態に限定されることはなく、目的に合わせて種々の形態とし得る。例えば、加熱手段４が配置される箇所に流路２ａ同様の流路を設け、この流路に高温の加熱媒体を流通させてもよい。
【００４６】
ここで、図１（ｂ）に示す金属層３は、流路２ａと加熱手段４のヒーターとの間に配置され、本例では、ヒーターからの熱が金属層３に伝熱し、基体２よりも熱伝導率の高い金属層３により、流路２ａおよび加熱手段４の形成幅よりも広く、流路２ａに沿って配置されている金属層３の面方向にすばやく拡散し、流路２ａが金属層３と並行する部位の温度を流路２ａに沿って一定のものとすることによって、流路２ａ内の流体が効率よく、かつ温度ばらつきが小さい状態で加熱される。このとき金属層３は基体２の材質およびその目的に合わせて、作製可能な金属層３が選択されればよい。また金属層３の配置個所も基体２表面もしくは基体２内部に関わらず、目的にあわせた所望の位置、形状に形成すればよい。
【００４７】
また、図１（ｂ）においては１層の金属層３を形成した例を示しているが、金属層３は重なるように複数層形成されていてもよい。複数層設けることにより、複数の金属層３の厚み合計が厚いものになるので、金属層３による流路２ａ周囲の均熱効果をより大きなものとすることができる。
【００４８】
また図１（ｂ）において、加熱手段４に代えて、冷却手段４が設けられてもよい。流体を冷却する冷却手段４としては、例えば、冷却媒体（冷水、冷却ガスなど）を流通させるための流路、ペルチェ素子等の熱電冷却素子、放熱フィン等が挙げられる。
【００４９】
金属層３は、例えば、流路２ａと冷却手段との間に配置され、流路２ａ内の流体の熱が金属層３に伝熱し、基体２よりも熱伝導率の高い金属層３により、金属層３の面方向にすばやく移動し、流路２ａが金属層３と並行する部位の温度を流路２ａに沿って一定のものとすることによって、流路２ａ内の流体の熱が効率よく素早く吸熱されて流体が冷却される。冷却手段４は、流路２ａ中を流れる流体の温度を所望の温度にコントロールすることで、最適な反応を促すことができる。また上記の加熱手段４同様、冷却手段４は一箇所のみでなく複数の箇所に配置されていてもよく、また流路２ａ直下に限定されず、例えば基体２全面を冷却するように配置されていてもよい。
【００５０】
上記の例のように、本発明のマイクロ流路体１は、基体２と熱伝導率の異なる金属層３を熱の移動を制御する伝熱経路として利用することができ、マイクロ流路体１の熱的な設計の自由度の高いものとなる。上記の例では、加熱手段４から流路２ａへ、もしくは流路２ａから冷却手段４へと、熱伝導率を高める手段として金属層３を利用している。金属層３を伝熱経路として利用することで、例えばマイクロ流路体１のある領域で発生した熱を他の領域に伝えないように、その領域間に金属層３および加熱手段４または冷却手段４を配置し、発熱領域で発生した熱を例えば冷却手段４によって吸熱させることで、領域間の温度差を維持するといったような、断熱手段としても利用が可能となる。
【００５１】
好ましくは、金属層３の熱伝導率は基体２の熱伝導率よりも高いほうが望ましい。
【００５２】
この構成により、基体２内部または基体２表面に、基体２の熱伝導率よりも熱放散、熱拡散速度の高い箇所を任意に設置でき、結果として自由度の高い熱設計が可能となる。
【００５３】
好ましくは、金属層３の厚みは５〜５００μｍであることが望ましい。
【００５４】
この構成により、熱設計の自由度が高いマイクロ流路体１を、その体積を大きくすること無く、実現できる。金属層３は熱伝導率を高くする目的から熱抵抗の小さいことが望ましい。すなわちその厚みはできるだけ厚く、面積は大きい方がよい。極端な方法を採るのであれば、マイクロ流路体１の表面に金属ブロックを接合させることでも本発明の趣旨は達成できるが、この方法ではマイクロ流路体１の内部に配置するのは難しく、形状的な制限も大きい。またマイクロ流路体１自体の体積が大きくなってしまうという課題も避けられない。
【００５５】
また、金属層３を形成する方法としては、半導体製造プロセス等で用いられる蒸着法やスパッタ法などの薄膜形成技術も利用が可能だが、金属層３を伝熱経路として利用するには、厚み数μｍの金属膜では十分な効果は望めない。上記の観点から、マイクロ流路１中に比較的自由に配置、パターン形成ができて、かつ伝熱経路として所望の特性を得るためには、金属層３の厚みは５〜５００μｍ程度が望ましい。
【００５６】
厚みが５〜５００μｍの金属層３は具体的には、メタライズ法，めっき法や金属箔を挿入する方法等によって形成される。
【００５７】
好ましくは、金属層３は銅（Ｃｕ）、もしくはＣｕが含有されている合金から成るのがよい。
【００５８】
この構成により、金属層３の熱放散、熱拡散速度の高いものとすることができる。前記のように、金属層３の熱伝導率は基体２の熱伝導率よりも高いことで任意の熱設計が可能となるが、その目的から金属層３の熱伝導率はできるだけ大きいほうが、設計の自由度としては高くなる。金属層３の材料として選択されうる材料は、各製造プロセスにより様々だが、上記観点から金属材料として、最大の熱伝導率を持つＣｕを選択することで、上記目的が達成しやすくなる。Ｃｕ、もしくはＣｕを含有する合金層を形成する方法としては、プリント基板にＣｕ配線層を形成する場合に用いられる、樹脂基板上へのめっき法等によるＣｕ箔層形成技術が挙げられる。その他、ガラス、シリコン基板上などへのスパッタ法などの薄膜形成方法でも作製は可能だが、前記理由により、数μｍレベルの薄膜では目的とする特性は十分発揮できない場合がある。セラミックスに対しては、ガラスセラミックス等の低温焼結セラミックスへのＣｕメタライズ法や、ＣｕとＷなどの高融点金属の合金によるメタライズ法、または、チタン（Ｔｉ）、ジルコニア（Ｚｒ）などの活性金属を介したＣｕ箔のろう材接合等が可能である。
【００５９】
好ましくは、金属層３は白金（Ｐｔ）、もしくはＰｔが含有されている合金層から成るのがよい。
【００６０】
Ｐｔはかなり大きな熱伝導率を有するので、金属層３の熱放散、熱拡散速度を高いものとできるとともに、化学的に安定なものなので、金属層３の設置位置、使用温度および金属層３をマイクロ流路体１の表面に設置した場合の表面被覆等の問題を考慮する必要が少なくなる。また、流路内に露出させる構造とすることもできる。
【００６１】
好ましくは、流路２ａの上方および下方の少なくとも一方の基体２内部または基体２表面に加熱手段４が設けられていることが望ましい。
【００６２】
この構成により、加熱手段４からの発熱を流路２ａ周辺に集中させて、効率よく流体へ伝熱できるため、小さい熱量の加熱手段４によって流体を加熱することができ、流体の加熱効率の高いマイクロ流路体１を提供できる。
【００６３】
好ましくは、金属層３は流路２ａと加熱手段４との間に位置するように設けられていることが望ましい。
【００６４】
この構成により、加熱手段４からの熱を金属層３で素早く拡散させて流路２ａ周辺を均熱化させ、金属層３から、流路２ａ中の流体へ伝熱する配置となるため、流体の加熱効率が高く、流体の加熱温度のばらつきを小さくできる。
【００６５】
好ましくは、金属層３は加熱手段４と少なくとも部分的に接するように設けられていることが望ましい。
【００６６】
この構成により、加熱手段４から金属層３に直接伝熱できることになり、流体の加熱効率のより高いマイクロ流路体を提供できる。本構成における加熱手段４は、図１（ｂ）のような基体２上に形成される抵抗加熱ヒーターでは、基体２内部もしくは表面でヒーターと伝熱用の金属層３とを電気的に接続させた、同一電気閉回路として配置させればよい。輻射、レーザー照射などの非接触式加熱方法であれば、基体２表面に金属層３を配置し、金属層３自体を直接加熱することで同様の配置とすることができる。
【００６７】
以上の構成により、流体の加熱効率が高いマイクロ流路体１を提供できる。
【００６８】
好ましくは、流路２ａの上方または下方の少なくとも一方の基体２内部または基体２表面に流路２ａに沿って冷却手段４が設けられていることが望ましい。
【００６９】
この構成により、流路２ａを通過する流体の熱を短時間に冷却手段４へ放熱できるため、流体の冷却効率が高くなる。
【００７０】
好ましくは、金属層３は流路２ａと冷却手段４との間に位置するように設けられているのがよい。
【００７１】
この構成により、冷却手段４に流路２ａからの熱を金属層３で素早く熱拡散させ、その金属層３から、冷却手段４に吸熱させる配置となるため、流体の冷却効率が高く、流体の冷却温度ばらつきが小さくできる。
【００７２】
好ましくは、金属層３は冷却手段４と少なくとも部分的に接するように設けられているのがよい。この構成により、流体の冷却効率が高いマイクロ流路体１を提供できる。具体的には、金属層３にペルチェ素子等の熱電冷却素子、放熱フィン等の冷却手段を接合する等する。
【００７３】
以上の構成により、流体の冷却効率が高いマイクロ流路体１を提供できる。
【００７４】
好ましくは、基体２は、セラミックスから成ることが望ましい。
【００７５】
この構成により、化学的に安定で耐薬品性に優れ、かつ熱設計の自由度が高いマイクロ流路体１を提供するができる。流体との熱の授受を効率よく行なうとすれば、マイクロ流路体１の材質自体も、熱伝導率の高い金属材料で構成したほうが、その熱交換効率は高くできる。しかし、図１（ｂ）のような電気配線を内蔵するのであれば、導電体である金属材料は選定しづらく、また流体が金属を腐食する可能性がある物質である場合にも、金属材料は使用できない。上記観点からセラミックスをマイクロ流路体１の材料として選定するのが好ましい。熱伝導率という点ではセラミックスは金属材料には及ばず、熱設計は制限されるが、本発明の構成により、セラミックス材料を選択したとしても、金属層３により部分的に高い熱伝導率とすることができるようになるので、結果として化学的に安定で、かつ熱設計の自由度が高いマイクロ流路体１とすることができる。
【００７６】
好ましくは、基体２は、セラミックグリーンシート積層法によって形成されることが望ましい。この構成により、図１（ａ）に示す構成のように、基体２の内部および表面に容易に平面状等の金属層３を設置でき、製造効率の良いマイクロ流路体１を提供することができる。グリーンシート上のスクリーン印刷法等によるメタライズ法は、金属層３や図１（ｂ）のような加熱手段４を適宜に、かつ積層後の焼成により、流路２ａの形成と金属層３の形成とが同時に容易に行なえるため、金属層３を有する本発明のマイクロ流路体１の作製が簡便なものとなる。
【００７７】
例えば、基体２がＡｌ２Ｏ３質焼結体から成る場合であれば、Ａｌ２Ｏ３，酸化珪素（ＳｉＯ２），酸化マグネシウム（ＭｇＯ），酸化カルシウム（ＣａＯ）等の原料粉末に適当な有機バインダ，溶剤，可塑剤，分散剤等を混合添加して泥漿状となすとともに、これからドクターブレード法やカレンダーロール法を採用することによってセラミックグリーンシート（セラミック生シート）を形成し、しかる後に、このセラミックグリーンシートにＷ，Ｍｏ等の高融点金属を主成分とし有機溶剤を混合して成る金属層３となるメタライズペーストを所定のパターンに印刷塗布し、流路２ａ等と成る適当な打ち抜き加工を施した後に、このグリーンシートを複数枚積層し、約1600℃の温度で焼成することによって作製される。
【００７８】
セラミックグリーンシートを流路２ａの形状で打ち抜くことによって、容易に所定形状の流路２ａを形成することができ、製造効率の良いマイクロ流路体１を提供することができる。
【００７９】
なお、本発明は上記実施の形態に限定されるものではなく、本発明の要旨を逸脱しない範囲内で種々の変更を施すことは何等差し支えない。また、上記実施の形態の説明において上下左右という用語は、単に図面上の位置関係を説明するために用いたものであり、実際の使用時における位置関係を意味するものではない。
【図面の簡単な説明】
【００８０】
【図１】（ａ）は本発明のマイクロ流路体の実施の形態の一例を示す斜視図、（ｂ）は図１（ａ）に示すマイクロ流路体の分解斜視図である。
【符号の説明】
【００８１】
１：マイクロ流路体
２：基体
２ａ：流路
３：金属層
４：加熱手段または冷却手段
【図１】
2008238091.tif 000003